(57)【要約】【課題】センター装置の調光制御の場合でも、対応するスイッチ部のＬＥＤを点灯状態に応じた表示にすることができる。【解決手段】伝送ラインを介して複数の照明器具と接続されるとともに、前記照明器具に対応する複数のメモリ領域を有し、前記照明器具を制御する最終制御値および照明器具の現在の点灯状態を示す目標値が記憶された記憶部を有する照明制御装置と；前記伝送ラインに接続され、前記照明器具を制御するオンオフ制御信号を前記照明制御装置に送信するとともに、前記照明制御装置から送信される目標値に対応する表示制御信号に基づいて前記照明器具のオンオフ状態を表示する表示部が設けられた１つ以上のスイッチ部と；を具備したことを特徴とする。【選択図】図１
2009158280.tif 000002
【特許請求の範囲】
【請求項１】
伝送ラインを介して複数の照明器具と接続されるとともに、前記照明器具に対応する複数のメモリ領域を有し、前記照明器具を制御する最終制御値および照明器具の現在の点灯状態を示す目標値が記憶された記憶部を有する照明制御装置と；
前記伝送ラインに接続され、前記照明器具を制御するオンオフ制御信号を前記照明制御装置に送信するとともに、前記照明制御装置から送信される目標値に対応する表示制御信号に基づいて前記照明器具のオンオフ状態を表示する表示部が設けられた１つ以上のスイッチ部と；
を具備したことを特徴とする照明制御システム。
【請求項２】
前記照明制御装置は、記憶部に記憶される目標値が変更される毎に対応する表示制御信号をスイッチ部に送信することを特徴とする請求項１に記載の照明制御システム。
【請求項３】
前記照明制御装置は、前記照明器具の点灯を制御する最終制御値を受信すると、制御の対象となった照明器具に対して前記伝送ラインを介して前記最終制御値を送信するとともに、前記制御の対象となった照明器具の現在の点灯状態に対応する目標値の送信を要求することを特徴とする請求項１または２に記載の照明制御システム。
【請求項４】
前記照明制御装置は、ネットワークを介してセンター装置と接続されるとともに、前記センター装置から前記照明器具の点灯を制御する最終制御値を受信すると、制御の対象となった照明器具に対して前記伝送ラインを介して前記最終制御値を送信することを特徴とする請求項１ないし３いずれか一に記載の照明制御システム。
【発明の詳細な説明】
【技術分野】
【０００１】
本発明は、照明負荷を遠隔制御する照明制御システムに関する。
【背景技術】
【０００２】
従来、例えば、オフィスビルや各種施設などでは、各フロアや各エリアなどの照明エリア毎に設置される照明器具などの照明負荷を遠隔制御する照明制御システムが採用されている。
【０００３】
この照明制御システムでは、照明制御装置に伝送ラインを介して複数の照明用機器が通信可能に接続されており、各照明用機器は、照明制御装置からの信号によって制御される。また、１つのセンター装置と複数の照明制御装置とがネットワークを介して通信し、センター装置は、照明制御装置を統合的に管理することができるようになっている。
【０００４】
このように、全ての照明用機器を伝送ラインを介して制御を行う照明制御装置として、例えば特許文献１に開示されたものがある。特許文献１の提案では、適宜の配線を施すことで、各照明器具を同時にオン，オフ制御する範囲（以下、グループともいう）を設定可能であり、例えば、壁スイッチ等を操作することでグループ毎に照明器具をオン，オフ制御することが可能である。また、各照明器具を調光制御する範囲も設定可能であり、明るさセンサ等の出力を用いることで各照明器具毎或いは調光を制御する範囲毎に明るさ制御が可能である。
【０００５】
ところで、壁スイッチには、照明器具の点灯の状態を示すＬＥＤ等からなる表示部が設けられていることがある。そして、照明制御装置には照明器具に対して最終的に送信した制御値（最終制御値）が記憶されており、壁スイッチに設けられた表示部は、照明制御装置に記憶された最終制御値に応じて点灯制御される。即ち、最終制御値が照明器具のオンを示す場合には壁スイッチの表示部は例えば赤色で点灯し、照明器具のオフを示す場合には壁スイッチの表示部は例えば緑色で点灯する。照明器具が調光制御されている場合には、照明器具に対応する壁スイッチの表示部は０％調光では緑色で点灯し、１〜１００％調光では赤色で点灯する。
【特許文献１】特開２００３−６８４７４号公報
【発明の開示】
【発明が解決しようとする課題】
【０００６】
しかしながら、最終制御値は照明制御装置から照明器具に対して最終的に送信した制御値であり、実際に照明器具の制御状態が変化したかは確認することができない。
【０００７】
また、上記従来の方法ではなんらかの不具合で制御信号が伝送されない場合や照明制御装置を介さずに直接照明器具を制御した場合には、最終制御値と実際の照明器具の点灯状態とが一致しないことがあり、照明器具が消灯しているにもかかわらず表示部は点灯を示す状態となることがあった。
【０００８】
本発明は、かかる問題点に鑑みてなされたものであって、壁スイッチ等のスイッチ部のＬＥＤの点灯を実際の点灯状態に対応させることができる照明制御システムを提供することを目的とする。
【課題を解決するための手段】
【０００９】
請求項１記載の照明制御システムは、伝送ラインを介して複数の照明器具と接続されるとともに、前記照明器具に対応する複数のメモリ領域を有し、前記照明器具を制御する最終制御値および照明器具の現在の点灯状態を示す目標値が記憶された記憶部を有する照明制御装置と；前記伝送ラインに接続され、前記照明器具を制御するオン，オフ制御信号を前記照明制御装置に送信するとともに、前記照明制御装置から送信される目標値に対応する表示制御信号に基づいて前記照明器具のオンオフ状態を表示する表示部が設けられた１つ以上のスイッチ部と；を具備したことを特徴とする。
【００１０】
請求項２記載の照明制御システムは、前記照明制御装置は、記憶部に記憶される目標値が変更される毎に対応する表示制御信号をスイッチ部に送信することを特徴とする。
【００１１】
請求項３記載の照明制御システムは、前記照明制御装置は、前記照明器具の点灯を制御する最終制御値を受信すると、制御の対象となった照明器具に対して前記伝送ラインを介して前記最終制御値を送信するとともに、前記制御の対象となった照明器具の現在の点灯状態に対応する目標値の送信を要求することを特徴とする。
【００１２】
請求項４記載の照明制御システムは、前記照明制御装置は、ネットワークを介してセンター装置と接続されるとともに、前記センター装置から前記照明器具の点灯を制御する最終制御値を受信すると、制御の対象となった照明器具に対して前記伝送ラインを介して前記最終制御値を送信することを特徴とする。
【発明の効果】
【００１３】
本発明によれば、スイッチ部に設けられた表示部の表示を実際の照明器具の点灯状態に対応させることができるという効果を有する。
【００１４】
また、本発明によれば目標値が変更される毎にスイッチ部の表示を更新するので、スイッチ部に設けられた表示部の表示を実際の照明器具の点灯状態に対応させることができる。
【００１５】
また、本発明によれば最終制御値が変更されたときに目標値の送信を要求するので、スイッチ部に設けられた表示部の表示を実際の照明器具の点灯状態に対応させることができる。
【００１６】
また、本発明によればネットワークを介して接続されるセンター装置によって照明器具を制御してもスイッチ部に設けられた表示部の表示を実際の照明器具の点灯状態に対応させることができる。
【発明を実施するための最良の形態】
【００１７】
以下、図面を参照して本発明の第１の実施の形態について詳細に説明する。
【００１８】
図１は本実施の形態に係る照明制御装置を示すブロック図である。また、図２は図１の照明制御装置が組込まれた照明制御システムの構成を示す構成図である。
【００１９】
図２に示す照明制御システムは、例えば、オフィスビルや各種施設などの各フロアや各エリアなどの照明エリア毎に設置される複数の照明器具を遠隔制御したり、所定の照明エリア内の人体を検出する人感センサＳＳ、所定の照明エリア内の照度を測定する照度センサＳＬ、照明器具を手動で切換指令するスイッチ部ＳＷなどを遠隔監視して、これらの複数の照明用機器を集中制御するものである。照明器具としては、例えば、ランプや発光ダイオードなどの光源を用いた照明器具Ｋが用いられる。
【００２０】
これらの複数の照明用機器は、伝送ライン２１に接続されており、この伝送ライン２１を介して照明制御装置１１によって制御される。
【００２１】
なお、伝送ライン２１に接続される照明用機器としては、スイッチ部ＳＷ、照度センサ、人感センサの他、照明器具のオン，オフを制御するリレー、調光端末器等も設置可能である。
【００２２】
そして、上記照明用機器には、照明器具が直接または伝送ラインを介して接続され、あるいは一体的に形成されて、対応する照明器具Ｋを制御することができる。
【００２３】
例えば、図２に示すスイッチ部ＳＷは、各照明器具Ｋ又は複数の照明器具Ｋの集合であるグループに対応したオン，オフスイッチを有しており、ユーザのスイッチ操作に基づいて、対応する照明器具Ｋ又は複数の照明器具Ｋからなるグループをオンにするかオフにするかのオンオフ制御信号を照明制御装置１１に出力するようになっている。
【００２４】
そして、照明制御装置１１はスイッチ部ＳＷから送信されるオンオフ制御信号に応じて、対応する照明器具Ｋへ照明制御信号を送信し点灯制御を行う。
【００２５】
リレーは、接続された複数の照明器具Ｋに対して点消灯制御を行うものであり、照明制御装置１１等から照明制御信号を受信することによって対応する照明器具Ｋの点消灯を行うものである。
【００２６】
照度センサは、所定の照明範囲の明るさを検出するものであり、例えば照明制御装置１１がこの検出結果に基づき対応する照明器具Ｋに対して照明制御信号を送信し制御を行う。
【００２７】
人感センサは、所定範囲の人の存在を検出するものであり、例えば照明制御装置１１がこの検出結果に基づき対応する照明器具Ｋに対して照明制御信号を送信し制御を行う。
【００２８】
調光端末器は、照明器具Ｋの調光率を制御するものであり、照明器具、照度センサ、人感センサ、またはリモコン受信器等と一体となって形成されたものであってもよい。
【００２９】
なお、照明器具Ｋにおいて、調光端末器を備えた照明器具Ｋ１については、照明制御装置１１から所定の調光率で点灯するように照明制御信号が送信されて調光制御を行い、調光端末器またはリレー等の照明用機器に接続される照明器具Ｋ２は照明制御装置１１から送信された照明制御信号を受信した照明用機器によって制御される。
【００３０】
また、例えば、防犯ドアの開閉に応じた外部からの情報が入力される監視入力部等も設置可能である。
【００３１】
また、本実施の形態における照明制御システムは、１つ以上のゲートウェイ１２を備えており、各照明制御装置１１はこのゲートウェイ１２に接続されるとともにネットワークケーブル９を介してセンター装置１０に接続されるようになっている。センター装置１０は、各照明制御装置１１を制御すると共に、各照明制御装置１１によって制御される照明用機器を制御することもできるようになっている。
【００３２】
次に、照明制御装置１１が照明器具Ｋを制御する制御信号を受信したときの作用について説明する。
【００３３】
図１の照明制御装置１１は、ゲートウェイ１２を介してケーブル９に接続されている。ゲートウェイ１２は、ケーブル９を介したネットワークと伝送ライン２１によるネットワークとの間のデータ伝送を可能にするために、信号の変換を行う。ケーブル９は例えば汎用ネットワークであるＬＡＮ規格の伝送路であり、ゲートウェイ１２はＬＡＮ規格の信号と伝送ライン２１に対応した信号との変換を行う。
【００３４】
ケーブル９からゲートウェイ１２を介して照明制御装置１１に入力されたデータは、伝送制御部１５を介してＣＰＵ１６に与えられる。伝送制御部１５は入力されたデータの宛先の情報もＣＰＵ１６に出力する。また、ＣＰＵ１６からセンター装置１０宛のデータは、伝送制御部１５及びゲートウェイ１２を介してケーブル９に送出される。
【００３５】
ＣＰＵ１６は、照明制御装置１１の各部を制御する。ＣＰＵ１６は各照明用機器に対する制御信号を、伝送回路１９を介して伝送ライン２１に送出するようになっている。伝送回路１９は、ＣＰＵ１６からのデータを伝送ライン２１に送出すると共に、各照明用機器からの伝送ライン２１を介して入力されたデータをＣＰＵ１６に与えるようになっている。
【００３６】
センター装置１０は、照明制御装置１１を宛先として、照明用機器に対する制御の内容である最終制御値を含む制御信号を出力するだけでなく、各照明用機器を宛先として、最終制御値を含む制御信号を直接照明用機器に出力することができるようになっている。ＣＰＵ１６は、センター装置１０から照明用機器を宛先とする最終制御値を含む制御信号を受信した場合には、この最終制御値を対応する照明用機器に送信するようになっている。また、ＣＰＵ１６は、センター装置１０から伝送制御部１５を介して自機宛に伝送された最終制御値を含む制御信号については、この最終制御値を最終制御値メモリ１８に与えて記憶させる。
【００３７】
本実施の形態においては、ＣＰＵ１６は、定期的に或いは所定のタイミングで、伝送回路１９を介して各照明用機器に現在の目標値のデータの送信を要求（目標値送信要求）するようになっている。また、ＣＰＵ１６は、センター装置１０からの最終制御値の宛先が照明用機器である場合には、当該最終制御値の送信後にその宛先に対して目標値送信要求を送信するようにしてもよい。
【００３８】
なお、最終制御値を含む制御信号は、スイッチ部ＳＷ等の照明用機器からもオンオフ制御信号として照明制御装置１１に送信される。この場合には、ＣＰＵ１６は、オンオフ制御信号の受信後に、最終制御値を制御対象の照明器具が接続される照明用機器に送信し、当該最終制御値を記憶させるとともに、最終制御値の制御対象である照明器具が接続される照明用機器に対して目標値送信要求を送信する。
【００３９】
ＣＰＵ１６は、伝送回路１９を介して目標値送信要求に応答した目標値が入力された場合には、入力された目標値を目標値メモリ１７に与えて記憶させるようになっている。ＣＰＵ１６は目標値メモリ１７に記憶された目標値に基づいて、スイッチ部ＳＷのＬＥＤの点灯を制御するための表示制御信号を生成するようになっている。ＣＰＵ１６は、生成した表示制御信号を、伝送回路１９を介して対応するスイッチ部ＳＷに送信する。
【００４０】
目標値メモリ１７及び最終制御値メモリ１８は、伝送ライン２１に接続された各照明器具に対応したメモリ領域を有しており、各照明器具毎に最終制御値及び目標値を保持する。
【００４１】
次に、図３乃至図５を参照して照明制御システムの各照明用機器について説明する。図３乃至図５は夫々図２中の照明器具Ｋ、照度センサＳＬ及びスイッチ部ＳＷの具体的な構成を示すブロック図である。
【００４２】
図３において、照明器具Ｋ１は照明用機器としての調光端末器が一体的に設けられたものであり、伝送ライン２１を介して照明制御装置１１と通信する通信部３１を備える。
【００４３】
また、照明器具Ｋ１は、光源としての図示しないランプの点灯、消灯や調光点灯を制御するインバータ３４及び照明制御装置１１からの指令に従ってインバータ３４によるランプの点灯状態を制御する調光端末器としての機能を有する制御部３２を有している。メモリ３３には各照明器具Ｋ１のアドレス、グループ番号及び調光率の情報等が記憶されるようになっている。制御部３２は、メモリ３３の内容を通信部３１を介して伝送ライン２１に送信すると共に、伝送ライン２１を介して伝送された信号に基づいてインバータ３４を制御するようになっている。
【００４４】
本実施の形態においては、調光機能を有する照明器具Ｋ１については、制御部３２は、照明制御装置１１を介してセンター装置１０から最終制御値としての調光率を含む制御信号を受信すると、この調光率に基づいて照明器具Ｋ１を調光制御するとともに、現在の調光率の情報を目標値としてメモリ３３に保持させる。制御部３２は、メモリ３３に保存した現在の目標値の情報を照明制御装置１１からの目標値送信要求に従って読み出して、通信部３１を介して照明制御装置１１に送信するようになっている。
【００４５】
図４において、照度センサＳＬは、伝送ライン２１を介して照明制御装置１１と通信する通信部４１を備える。また、照度センサＳＬは、周囲光の照度を検出する検出部４４を有している。メモリ４３には各照度センサＳＬのアドレス及び検出した照度値の情報が記憶されるようになっている。制御部４２は、メモリ４３の内容を通信部４１を介して伝送ライン２１に送信するようになっている。
【００４６】
なお、図示しない人感センサＳＳの構成も図４の照度センサＳＬと同様であり、この場合にも検出信号を照明制御装置に送信する。
【００４７】
そして、センサからの検出信号を受信した照明制御装置１１は対応する照明器具Ｋ１または照明器具Ｋ２が接続される照明用機器へ最終制御値を含む照明制御信号を送信するとともに、制御対象となる照明器具に対応するメモリ領域に最終制御値を記憶する。
【００４８】
図５において、スイッチ部ＳＷは、伝送ライン２１を介して照明制御装置１１と通信する通信部５１を備える。また、スイッチ部ＳＷは、ボタン部５４及びＬＥＤ表示部５５を有する。制御部５２は、ボタン部５４のボタン操作の有無を検出すると共に、検出結果を通信部５１を介して伝送ライン２１に送信する。また、制御部５２は、照明制御装置１１からＬＥＤの点灯を制御するための表示制御信号が与えられ、この表示制御信号に基づいてＬＥＤ表示部５５の点灯を制御するようになっている。なお、メモリ５３には各スイッチ部ＳＷのアドレス及びボタン部５４に対応する照明器具Ｋの現在の点灯情報等が記憶されるようになっている。
【００４９】
また、スイッチ部ＳＷの制御部５２は、ボタン部５４の操作に基づき、通信部５１から照明制御装置１１にオンオフ制御信号を送信するようになっている。
【００５０】
次に、このように構成された実施の形態の作用について図６のフローチャートを参照して説明する。
【００５１】
センター装置１０と各照明制御装置１１とはケーブル９を介して通信し、照明制御装置１１と各照明用機器とは伝送ライン２１を介して通信する。いま、例えば、スイッチ部ＳＷの操作によって、所定の照明器具Ｋをオンにするものとする。このオン操作によって、スイッチ部ＳＷは、自身のアドレスとオンにする照明器具の情報を伝送ライン２１を介してオンオフ制御信号として照明制御装置１１に送信する。
【００５２】
照明制御装置１１は、伝送ライン２１を介してスイッチ部ＳＷからのオンオフ制御信号を受信すると（ステップＳ１）、最終制御値メモリ１８内のスイッチ部ＳＷの操作に対応するメモリ領域に最終制御値として格納する（ステップＳ３）。照明制御装置１１のＣＰＵ１６は、更新した最終制御値を最終制御値メモリ１８から読み出し、読み出した最終制御値を対応する照明器具に送信する（ステップＳ４）。この最終制御値は、伝送回路１９から伝送ライン２１を介して対応する照明器具Ｋに直接または照明用機器へ伝送される。最終制御値を受信した照明器具Ｋまたは照明用機器は、この最終制御値に基づいて対応する照明器具の光出力を制御するとともに、最終制御値を目標値としてメモリに記憶させる。こうして、スイッチ部ＳＷのユーザ操作に対応した照明器具Ｋが点灯する。
【００５３】
ＣＰＵ１６は、ステップＳ５において、スイッチ部ＳＷのユーザ操作に対応する照明器具に対して、目標値送信要求を発生する。目標値送信要求を受信した照明器具Ｋまたは照明用機器は、目標値をメモリから読み出し、照明制御装置１１に送信する。照明制御装置１１は、ステップＳ６において目標値を受信すると、この目標値を送信した照明器具に対応する現在目標値メモリ１７の対応するメモリ領域を受信した目標値によって更新する。
【００５４】
次に、ＣＰＵ１６は、現在目標値メモリ１７に記憶された目標値を読み出し、目標値に基づいて表示制御信号を生成し（ステップＳ７）、表示制御信号を対応するスイッチ部ＳＷに送信する（ステップＳ８）。例えば、目標値が照明器具をオンにさせるものである場合には赤色に点灯させ、オフにさせるものである場合には緑色に点灯させるための表示制御信号が生成される。この表示制御信号は、対応するスイッチ部ＳＷに送信され、スイッチ部ＳＷは表示制御信号に応じてＬＥＤ表示部５５を点灯させる。こうして、スイッチ部ＳＷのユーザ操作に応答して、ＬＥＤ表示部５５が例えば赤色に点灯する。
【００５５】
次に、センター装置１０が、所定の照明器具Ｋをオン，オフ操作するものとする。このオン，オフを制御するための最終制御値は、センター装置１０から照明制御装置１１に制御信号として供給される。ステップＳ１において、照明制御装置１１の伝送制御部１５を介して受信された最終制御値は、ＣＰＵ１６によって、最終制御値メモリ１８の対応するメモリ領域に格納される（ステップＳ３）。ＣＰＵ１６は、最終制御値メモリ１８に格納された最終制御値を読み出して、対応する照明器具に送信する（ステップＳ４）。こうして、センター装置１０の操作に応じて、所望の照明器具をオン，オフ制御することができる。
【００５６】
ＣＰＵ１６は、ステップＳ５において、センター装置１０のオン，オフ操作の対象の照明器具に対して、目標値送信要求を発生する。目標値送信要求を受信した照明器具または照明用機器は、目標値をメモリから読み出し、通信部３１を介して照明制御装置１１に送信する。照明制御装置１１は、ステップＳ６において目標値を受信すると、この目標値を送信した照明器具に対応する現在目標値メモリ１７の対応するメモリ領域を受信した目標値によって更新する。
【００５７】
次に、ＣＰＵ１６は、現在目標値メモリ１７に記憶された目標値を読み出して表示制御信号を生成し（ステップＳ７）、表示制御信号を対応するスイッチ部ＳＷに送信する（ステップＳ８）。この表示制御信号は、対応するスイッチ部ＳＷに送信され、スイッチ部ＳＷは表示制御信号に応じてＬＥＤ表示部５５を点灯させる。こうして、センター装置１０の制御によって照明器具をオン，オフさせた場合でも、当該照明器具に対応するスイッチ部ＳＷのＬＥＤ表示部５５を、オン，オフ制御に応じて点灯させることができる。
【００５８】
次に、センター装置１０が、所定の照明器具Ｋを調光操作するものとする。センター装置１０からの調光信号は、ケーブル９を介して照明制御装置１１に供給される。照明制御装置１１のＣＰＵ１６は、伝送制御部１５からの信号によって、調光信号が所定の照明器具Ｋを宛先であるものと判定すると、この調光信号を最終制御値として対応する照明器具または照明器具が接続された照明用機器に送信する。
【００５９】
即ち、最終制御値の宛先が照明用機器である場合には、照明制御装置１１は、処理をステップＳ２からステップＳ４に移行して、最終制御値を記憶することなく宛先の照明用機器に転送する。
【００６０】
照明器具Ｋを制御するための最終制御値は、伝送回路１９から対応する照明器具Ｋまたは対応する照明器具に接続された照明用機器に送信され、対応する照明器具Ｋは最終制御値に応じて制御される。照明器具Ｋまたは照明用機器は制御を行っている照明器具Ｋの現在の制御状態を目標値としてメモリに格納する。こうして、センター装置１０の調光操作に応じて、所望の照明器具の調光率を制御することができる。
【００６１】
ＣＰＵ１６は、ステップＳ５において、センター装置１０の調光操作に対応する照明器具に対して、目標値送信要求を発生する。目標値送信要求を受信した照明器具は、目標値をメモリ３３から読み出し、通信部３１を介して照明制御装置１１に送信する。照明制御装置１１は、ステップＳ６において目標値を受信すると、この目標値を送信した照明器具に対応する現在目標値メモリ１７の対応するメモリ領域を受信した目標値によって更新する。
【００６２】
次に、ＣＰＵ１６は、現在目標値メモリ１７に記憶された目標値を読み出して表示制御信号を生成し（ステップＳ７）、表示制御信号を対応するスイッチ部ＳＷに送信する（ステップＳ８）。この表示制御信号は、対応するスイッチ部ＳＷに送信され、スイッチ部ＳＷは表示制御信号に応じてＬＥＤ表示部５５を点灯させる。こうして、センター装置１０の制御によって照明器具Ｋ１を調光制御した場合でも、当該照明器具に対応するスイッチ部ＳＷのＬＥＤ表示部５５を、調光制御に応じて点灯させることができる。例えば、調光率が０％の場合には、ＬＥＤ表示部５５を緑色で点灯させ、調光率が０〜１００％の場合には、ＬＥＤ表示部５５を赤色で点灯させることができる。
【００６３】
このように、ステップＳ２において宛先が照明用機器であるものと判断された場合には、照明制御装置１１において最終制御値の更新は行われないので、照明制御装置１１の処理の負荷を低減させることができる。
【００６４】
なお、上記説明では、個別の照明器具をオン，オフ又は調光制御する場合について説明したが、グループ毎の制御にも適用可能である。更に、照明制御装置１１は、各照明器具Ｋをどのように制御するかについてのパターンを複数登録し、このパターンを選択することで複数の照明器具の制御を一操作で行うこともできるようになっており、このようなパターン制御にも適用可能である。
【００６５】
グループ制御やパターン制御の場合には、スイッチ部ＳＷ又はセンター装置１０からの制御信号は、各照明器具の点灯制御を個別に示すものではなく、グループ毎の制御値又はいずれのパターンであるかを示すものである。
【００６６】
例えばグループ制御の場合には、照明制御装置１１は、受信した最終制御値を最終制御値メモリ１８の対応するメモリ領域に記憶させると共に、グループ内の各照明器具に送信する。これにより、グループ内の各照明器具は、最終制御値に基づいて点灯制御される。そして、ＣＰＵ１６は、グループ内の各照明器具に対して目標値送信要求を発行する。これにより、各照明器具は、目標値を送信し、各目標値は、ＣＰＵ１６によって、現在目標値メモリ１７内の対応する各メモリ領域に記憶される。ＣＰＵ１６は、各メモリ領域から目標値を読み出して表示制御信号を生成し、生成した各表示制御信号を対応するスイッチ部ＳＷに夫々送信する。こうして、照明器具に対応したＬＥＤ表示部５５において、現在の点灯状態に応じたＬＥＤ表示が行われる。なお、パターン制御の場合も同様である。
【００６７】
このように本実施の形態においては、照明制御装置１１は、各照明器具Ｋの現在の目標値を読み出すことで、各照明器具の現在の点灯状況を把握し、これに基づいてスイッチ部のＬＥＤの点灯を制御する。これにより、照明制御装置１１から最終的に送信した照明制御信号に含まれる最終制御値と実際の照明器具の点消灯状態とが一致していない場合であってもスイッチ部ＳＷの表示部を現在の点灯状態に応じた点灯状態で点灯させることができる。
【００６８】
次に、本発明の第２の実施の形態について説明する。
【００６９】
上記第１の実施の形態では照明制御装置１１が制御信号を受信し、最終制御値が更新される場合について説明したが、第２の実施の形態では最終制御値が更新されることなく各照明器具の点灯状態が変化する場合について説明する。
【００７０】
図７は、検出部としての照度センサ６４および照明器具を点灯制御する調光端末器が一体的に設けられた照明用機器ＳＬを示すブロック図である。
【００７１】
照明用機器ＳＬは、伝送ライン２１を介して照明制御装置１１と通信する通信部６１を備える。また、照明用機器ＳＬは、周囲光の照度を検出する検出部としての照度センサ６４を有している。メモリ６３には各照明用機器ＳＬのアドレス、目標照度値および検出した照度値の情報、目標値等が記憶されるようになっている。制御部６２は、メモリ６３の内容を通信部６１を介して伝送ライン２１に送信するようになっている。
【００７２】
なお、本実施形態では照明用機器以外のシステムの構成は第１の実施形態と同様であるためその詳細な説明は省略する。
【００７３】
照明用機器ＳＬは、メモリ６３に予め目標照度値が設定されており、照明用機器ＳＬに接続された照明器具の光出力を制御することで照度検出値が目標照度になるようにフィードバック制御される。
【００７４】
なお、この目標照度値はリモコン等から送信される信号をリモコン受信部６５で受信し、照明制御装置１１を介さずに設定することができる。
【００７５】
ところで、例えば複数の照明器具をまとめて上記照明用機器が調光制御する場合、照明用機器は自己に接続される照明器具の制御状態を全て記憶可能なメモリ領域を有している。つまり、調光端末器は自己に接続される照明器具のそれぞれについて現在の調光度またはオンオフ状態、および人感センサ、照度センサ、リモコン操作等の操作手段のいずれによって制御されているかということを記憶している。
【００７６】
しかしながら、照明制御装置によって制御される照明器具について調光端末器と同等の情報量を記憶する構成とすると、照明制御装置に接続可能な調光端末器の数に合わせて、大容量のメモリを用意する必要があり、装置が大形化するとともにコストが増大する。
【００７７】
このため、このような多機能な照明用機器を照明制御システムに接続する場合、照明制御装置は照明器具に対して送信する最終制御値のみを記憶する構成とすることが一般的である。
【００７８】
また、このような照明制御システムにおいて、壁スイッチ等のスイッチ部に表示部を設けて照明器具の点灯状態を示す場合、従来は照明制御装置に記憶された最終制御値によって、スイッチ部に設けられた表示部を制御していた。
【００７９】
ところが、最終制御値のみを記憶する従来の照明制御装置を用いる場合、例えばリモコンによって目標照度を変更する場合、照明制御装置１１はリモコンの操作によって目標照度が変更されたことを認識することができない。
【００８０】
このため、照明制御装置１１に記憶された最終制御値と実際の点灯状態を示す目標値とが一致しなくなる。
【００８１】
つまり、ある照明器具が点灯しているときに使用者がリモコンで消灯した場合、対応する照明器具が消灯しているにもかかわらず、スイッチ部ＳＷの表示部は点灯状態を示したままとなってしまう。
【００８２】
また、検出部として人感センサを用いた場合にも最終制御値と目標値とが一致しなくなる恐れがある。
【００８３】
そこで、本実施の形態では照明制御装置に照明器具の実際の制御状態としての目標値を記憶させるとともに、照明器具の制御状態が変更される毎に照明制御装置に記憶された目標値を更新し、照明制御装置は変更された目標値に応じて表示制御信号をスイッチ部ＳＷへ送信する。
【００８４】
このように、照明制御装置１１に最終制御値および目標値を記憶させておくとともに、照明器具の実際の制御状態が変更される毎に照明制御装置１１に記憶された目標値を更新するため、スイッチ部の表示部の表示と実際の照明器具の点灯状態とを一致させることができる。
【００８５】
さらに、目標値はスイッチ部ＳＷに対して送信する表示制御信号としてのオンオフ情報があればよいため、大容量のメモリを必要とせず、装置を小形化することができるとともにコストが増加することもない。
【図面の簡単な説明】
【００８６】
【図１】本実施の形態に係る照明制御装置を示すブロック図。
【図２】図１の照明制御装置が組込まれた照明制御システムの構成を示す構成図。
【図３】図２中の照明器具Ｋを示すブロック図。
【図４】図２中の照度センサＳＬを示すブロック図。
【図５】図２中のスイッチ部ＳＷを示すブロック図。
【図６】第１の実施の形態の作用を説明するためのフローチャート。
【図７】第２の実施の形態の照明用機器を示すブロック図。
【符号の説明】
【００８７】
９…ネットワークケーブル
１０…センター装置
１１…照明制御装置
１２…ゲートウェイ
１５…伝送制御部
１６…ＣＰＵ
１７…現在目標値メモリ
１８…最終制御値メモリ
１９…伝送回路
２１…伝送ライン
Ｋ…照明器具
ＳＳ…人感センサ
ＳＬ…照度センサ
ＳＷ…スイッチ部
【図１】
2009158280.tif 000003
【図２】
2009158280.tif 000004
【図３】
2009158280.tif 000005
【図４】
2009158280.tif 000006
【図５】
2009158280.tif 000007
【図６】
2009158280.tif 000008
【図７】
2009158280.tif 000009